(57)【特許請求の範囲】
【請求項１】
壁面に固定するための水平方向に延びた下板と、前記下板の上側に当該壁面とは反対側へクランク状に折り曲がるように連設され当該壁面との間に水平方向に延びる隙間が確保された上板と、を備える支持金具と、
前記支持金具を介して下端が尖ったタイルを当該壁面から浮かして支持するために、当該タイルの左下辺及び右下辺に当接するように当該タイル側に突出させた下辺受けを設けた下角当てと、前記支持金具に掛けるために前記下角当ての上側に設けられたフックと、当該タイルの下側に配置される上端が尖った別のタイルの左上辺及び右上辺に当接するように当該別のタイル側に突出させた上辺受けを設けた上角当てと、を備える角受け金具と、を有し、
前記下角当ては、当該タイルの下端を空けるように前記下辺受けが設けられ、前記下角当ての下側に前記上角当てが連結される、
ことを特徴とするタイル落下防止金具。
【請求項２】
当該別のタイルの尖っていない底辺を受けるために、当該別のタイルの底辺に当接するように当該別のタイル側に突出させた底辺受けを設けた下部当てと、前記支持金具の下方にそれと平行に配置した別の支持金具に掛けるために前記下部当ての上側に設けられたフックと、を備える底受け金具を有する、
ことを特徴とする請求項１に記載のタイル落下防止金具。
【請求項３】
前記角受け金具は、当該壁面の端における当該タイルの形状に合わせてその一部が用いられる、
ことを特徴とする請求項１又は２の何れか一に記載のタイル落下防止金具。
【請求項４】
前記角受け金具は、前記辺受けが隣接するタイルの側辺に当接する、
ことを特徴とする請求項１乃至３の何れか一に記載のタイル落下防止金具。
【発明の詳細な説明】
【技術分野】
【０００１】
本発明は、建築物の表面を覆うタイルの落下を防止するためのタイル落下防止金具に関する。
【背景技術】
【０００２】
建物の外壁やトンネルの内壁などには、内・外装材として複数並置されたタイルが貼着される。タイルは、建築物の表面を保護するほか、表面を装飾する等の目的で用いられる。しかし、タイルを壁面に貼り付けている接着剤の劣化などでタイルが剥離する場合や、飛来物などの衝突によりタイルが破損する場合がある。タイルが地面に落下すると、さらに割れたタイルの破片が地面に散らばっていると、付近の通行者等にとって非常に危険である。
【０００３】
また、地震など大きな振動による建物の変形に対し、変形しづらいタイルがそれに追従できずに剥落してしまうケースもある。そのため、タイルを建物に密着させるのではなく、金具を介してタイルと建物とを別々の動きをさせる方法も考えられている。特許文献１に記載されているように、タイル又はその周囲に損傷が生じても容易に落下しないように保持する落下防止構造の発明も公開されている。
【先行技術文献】
【特許文献】
【０００４】
【特許文献１】特許第５８３５７６３号公報
【発明の概要】
【発明が解決しようとする課題】
【０００５】
しかしながら、特許文献１に記載の発明は、長方形状のタイルを縦横に並べたものを対象としており、タイルの上下を係止すれば保持することができたが、上端又は下端が尖っている三角形など他の形状のタイルを保持することはできなかった。
【０００６】
そこで、本発明は、上端又は下端が尖った形状のタイルが壁面から落下しないように保持するためのタイル落下防止金具を提供することを目的とする。
【課題を解決するための手段】
【０００７】
上記の課題を解決するために、本発明であるタイル落下防止金具は、壁面に固定するための水平方向に延びた下板と、前記下板の上側に当該壁面とは反対側へクランク状に折り曲がるように連設され当該壁面との間に水平方向に延びる隙間が確保された上板と、を備える支持金具と、前記支持金具を介して下端が尖ったタイルを当該壁面から浮かして支持するために、当該タイルの左下辺及び右下辺に当接するように当該タイル側に突出させた下辺受けを設けた下角当てと、前記支持金具に掛けるために前記下角当ての上側に設けられたフックと、当該タイルの下側に配置される上端が尖った別のタイルの左上辺及び右上辺に当接するように当該別のタイル側に突出させた上辺受けを設けた上角当てと、を備える角受け金具と、を有し、前記下角当ては、当該タイルの下端を空けるように前記下辺受けが設けられ、前記下角当ての下側に前記上角当てが連結される、ことを特徴とする。
【０００８】
また、前記角受け金具は、当該タイルの下側に配置される上端が尖った別のタイルの左上辺及び右上辺に当接するように当該別のタイル側に突出させた上辺受けを設けた上角当てを有し、前記下角当ての下側に前記上角当てが連結される、ことを特徴とする。
【０００９】
また、当該別のタイルの尖っていない底辺を受けるために、当該別のタイルの底辺に当接するように当該別のタイル側に突出させた底辺受けを設けた下部当てと、前記支持金具の下方にそれと平行に配置した別の支持金具に掛けるために前記下部当ての上側に設けられたフックと、を備える底受け金具を有する、ことを特徴とする。
【００１０】
また、前記角受け金具は、当該壁面の端における当該タイルの形状に合わせてその一部が用いられる、ことを特徴とする。
【００１１】
また、前記角受け金具は、前記辺受けが隣接するタイルの側辺に当接する、ことを特徴とする。
【発明の効果】
【００１２】
本発明によれば、上端又は下端が尖った形状のタイルでも壁面から落下しないように保持することができる。タイルの尖った先端ではなく、先端に近い側辺を支えるので、先端が当たって欠けるのを避けることができる。
【図面の簡単な説明】
【００１３】
【図１】本発明の実施例１に係るタイル落下防止金具を用いた壁面を示す図である。
【図２】本発明の実施例１に係るタイル落下防止金具の支持金具を示す図である。
【図３】本発明の実施例１に係るタイル落下防止金具の角受け金具を示す図である。
【図４】本発明の実施例１に係るタイル落下防止金具の底受け金具を示す図である。
【図５】本発明の実施例１に係るタイル落下防止金具の角受け金具の一部（上部）を示す図である。
【図６】本発明の実施例１に係るタイル落下防止金具の角受け金具の一部（左部）を示す図である。
【図７】本発明の実施例１に係るタイル落下防止金具を用いてタイルを保持した状態を示す図である。
【図８】本発明の実施例２に係るタイル落下防止金具を用いた壁面を示す図である。
【図９】本発明の実施例２に係るタイル落下防止金具の角受け金具を示す図である。
【発明を実施するための形態】
【００１４】
以下に、本発明の実施形態について図面を参照して詳細に説明する。同一機能を有するものは同一符号を付け、その繰り返しの説明は省略する場合がある。なお、垂立する壁に対して、縦方向を上下方向、横方向を左右方向、法線方向を前後方向とし、壁の外面側を表側、壁の内面側を裏側とする。また、タイルの上下左右の側面については、タイルの形状から上辺、下辺（底辺）、左辺、右辺（側辺）のように表現する。
【実施例１】
【００１５】
まず、本発明であるタイル落下防止金具について説明する。図１は、タイル落下防止金具を用いた壁面を示す（ａ）平面図、（ｂ）正面図及び（ｃ）右側面図である。壁面としては、ＥＣＰ（押出成形セメント板）、ＡＬＣ（高温高圧蒸気養生された軽量気泡コンクリート）、ＲＣ（鉄筋コンクリート）などがあり、必要に応じて下地材等により表面の不陸を調整しても良い。
【００１６】
図１に示すように、本実施例では、壁面１００がセメント中空板１００ａの場合に、その表面に三角形状のタイル１１０を取り付けるケースで説明する。例えば、正方形を４５度回転させて上下に切断した直角二等辺三角形状のタイル１１０を使用する。
【００１７】
セメント中空板１００ａは、所定のサイズで成形したＥＣＰであり、それを複数並べて１枚の壁状にする。なお、ＥＣＰは、セメント、ケイ酸質原料、繊維質原料などを混練したものを、表板と裏板の間に中空部が形成されるように押出成形し、オートクレーブ養生してパネル状にしたものである。
【００１８】
タイル１１０は、セメント中空板１００ａを保護又は装飾するために、その表面に取り付ける磁器質や陶器質などの板材である。タイル１１０は、所定の形状のものが複数並置されるが、タイル１１０間には変形等を吸収するための目地１１２が空けられ、その目地１１２にはシーリング材などが充填される。なお、タイル１１０は、全て同じ形状でも良いし、異なる形状のものを組み合わせても良い。ただし、下向きの三角形など下端が尖った形状のものが存在する場合とする。
【００１９】
図１の例では、全て同じ大きさの直角二等辺三角形のタイル１１０を使用するが、一の下向き三角形の上下左右にそれぞれ別の上向き三角形を配置し、同様に、一の上向き三角形の上下左右にそれぞれ別の下向き三角形を配置することで、全てのタイル１１０が整列される。
【００２０】
タイル１１０のセメント中空板１００ａへの取付けは、タイル落下防止金具を介して行う。タイル落下防止金具としては、支持金具２００、角受け金具３００、及び底受け金具３００ａなどがある。タイル１１０をセメント中空板１００ａに直貼りせずに、セメント中空板１００ａに支持金具２００を配設し、支持金具２００に掛けた角受け金具３００又は底受け金具３００ａでタイル１１０を支持する。角受け金具３００又は底受け金具３００ａは、タイル１１０の下側で受けるように支持するが、タイル１１０の裏面に形成した溝などに掛けるようにして受けても良い。
【００２１】
図２は、タイル落下防止金具の支持金具を示す（ａ）平面図、（ｂ）正面図及び（ｃ）右側面図である。図２に示すように、支持金具２００は、水平方向に延びた細長い部材であり、複数連結したセメント中空板１００ａの左端から右端まで渡すように取り付けられる。なお、複数本の支持金具２００が所定の間隔を置いてそれぞれ平行に配置される。
【００２２】
支持金具２００は、上板２１０と下板２２０とが中間部２３０を介してクランク状に連設されたものである。下板２２０は、セメント中空板１００ａに接する部分であり、セメント中空板１００ａに留具２５０により固定される。中間部２３０は、下板２２０の上端にセメント中空板１００ａとは反対側（前方）へ折り曲がるように連設される。
【００２３】
上板２１０は、中間部２３０の前端に上方へ折り曲がるように連設される。上板２１０は、中間部２３０によりセメント中空板１００ａから浮いた状態であり、セメント中空板１００ａとの間に隙間２６０が確保される。隙間２６０は、水平方向において任意の位置に支持金具２００に角受け金具３００等を掛けるための空間となる。
【００２４】
上板２１０及び下板２２０には、支持金具２００を軽量化するため、また、留具２５０を通すための貫通孔２４０を複数設ける。留具２５０は、ネジ等を用いる。貫通孔２４０は、ネジ軸が通りネジ頭が通らなければ任意の大きさで良い。そして、下板２２０の貫通孔２４０に留具２５０を通して支持金具２００をセメント中空板１００ａに固定すれば良い。
【００２５】
図３は、タイル落下防止金具の角受け金具を示す（ａ）平面図、（ｂ）正面図及び（ｃ）右側面図である。図３に示すように、角受け金具３００は、一のタイル１１０の下側の角を受けるための下角当て３１０、タイル１１０の下側に配置される別のタイル１１１（図１参照）の上側の角を受けるための上角当て３２０、下角当て３１０と上角当て３２０とを繋ぐ連結部３３０、支持金具２００に掛けるためのフック３４０等を有する。角受け金具３００は、支持金具２００を介してタイル１１０をセメント中空板１００ａから浮かして支持するために使用される。
【００２６】
下角当て３１０は、下端が尖ったタイル１１０の左下辺及び右下辺に当接するようにタイル１１０側（前側）に突出させた下辺受けを有する。下辺受けは、左下側を斜めに折り曲げた左下辺受け３１１と、右下側を斜めに折り曲げた右下辺受け３１２とを有する。なお、左下辺受け３１１と右下辺受け３１２とは下端までは至らず、下端が空いた状態にする。
【００２７】
同様に、上角当て３２０は、上端が尖った別のタイル１１１の左上辺及び右上辺に当接するようにタイル１１１側（前側）に突出させた上辺受けを有する。上辺受けは、左上側を斜めに折り曲げた左上辺受け３２１と、右上側を斜めに折り曲げた右上辺受け３２２とを有する。なお、上端も空いた状態にしても良い。
【００２８】
連結部３３０は、下角当て３１０と上角当て３２０の間に介され、下角当て３１０の下側に上角当て３２０が連結される。フック３４０は、下角当て３１０の上側に後方へ支持金具２００を跨ぐように設けられる。なお、フック３４０には、切欠き３４１を空けて軽量化しても良い。
【００２９】
角受け金具３００の上部は、フック３４０によって支持金具２００に掛けられるが、角受け金具３００の下部は、支持金具２００によってセメント中空板１００ａから浮いてぶら下がった状態となる。そのため、前後方向の位置を安定させるために、上角当て３２０の下側を折り曲げて、セメント中空板１００ａ側（後側）に突出させた折曲片３５０を設ける。
【００３０】
図４は、タイル落下防止金具の底受け金具を示す（ａ）平面図、（ｂ）正面図及び（ｃ）右側面図である。図４に示すように、底受け金具３００ａは、別のタイル１１１の底辺を受けるための下部当て３６０、支持金具２００の下方にそれと平行に配置した別の支持金具２０１に掛けるためのフック３７０等を有する。
【００３１】
下部当て３６０は、上端が尖った別のタイル１１１の尖っていない底辺に当接するように、下側を折り曲げてタイル１１１側（前側）に突出させた底辺受けを有する。フック３７０は、下部当て３１０の上側に後方へ別の支持金具２０１を跨ぐように設けられる。
【００３２】
図５は、タイル落下防止金具の角受け金具の一部（上部）を示す（ａ）平面図、（ｂ）正面図及び（ｃ）右側面図である。また、図６は、タイル落下防止金具の角受け金具の一部（左部）を示す（ａ）平面図、（ｂ）正面図及び（ｃ）右側面図である。角受け金具３００は、複数連結したセメント中空板１００ａの端におけるタイル１１０の形状に合わせて、その一部を用いても良い。
【００３３】
図５に示すように、角受け金具３００ｂは、セメント中空板１００ａの下端において、タイル１１０の下側に別のタイル１１１が存在しない場合に、角受け金具３００の上半分だけにしたものである。
【００３４】
また、図６に示すように、角受け金具３００ｃは、セメント中空板１００ａの右端において、タイル１１０の右側に別のタイル１１１が存在しない場合に、角受け金具３００の左半分だけにしたものである。
【００３５】
図７は、タイル落下防止金具を用いてタイルを保持した状態を示す（ａ）正面図及び（ｂ）右側面図である。なお、正面図中の破線は、タイル１１０の裏に隠れた角受け金具３００を示し、一点鎖線は、タイル１１０及び角受け金具３００の裏に隠れた支持金具２００を示す。
【００３６】
図７に示すように、支持金具２００が留具２５０によりセメント中空板１００ａに固定され、角受け金具３００が支持金具２００に掛けられる。そして、タイル１１０が角受け金具３００で保持される。角受け金具３００及び支持金具２００によってタイル１１０とセメント中空板１００ａとは直接には接しない。すなわち、タイル１１０は、支持金具２００と角受け金具３００によってセメント中空板１００ａから所定の距離だけ離れた位置で保持される。
【００３７】
角受け金具３００の左下辺受け３１１、右下辺受け３１２、左上辺受け３２１及び右上辺受け３２２が、タイル１１０間の目地１１２となる位置に来るようにする。そして、一のタイル１１０の下角を左下辺受け３１１及び右下辺受け３１２で受け、タイル１１０の下側に対向する別のタイル１１１の上角を左上辺受け３２１及び右上辺受け３２２で受ける。
【００３８】
なお、左下辺受け３１１は、一のタイル１１０の左側に隣接する他のタイルの右上辺も受け、右下辺受け３１２は、一のタイル１１０の右側に隣接する他のタイルの左上辺も受ける。また、左上辺受け３２１は、別のタイル１１１の左側に隣接する他のタイルの右下辺も受け、右上辺受け３２２は、別のタイル１１１の右側に隣接する他のタイルの左下辺も受ける。
【００３９】
タイル１１０の裏面には接着剤が塗布される。接着剤は、弾性接着剤などが使用され、タイル１１０とセメント中空板１００ａの間に介される。なお、セメント中空板１００ａの表面に介在物１２０を入れても良い。介在物１２０としては、亀甲網や絶縁シートなどがある。亀甲網は、六角形の網目を形成した金網であり、接着剤を網目に絡ませることにより、タイル１１０の剥離を抑制する。
【００４０】
また、絶縁シートは、振動等により変形しやすいセメント中空板１００ａと、変形しにくいタイル１１０とが固着されないように分離する。セメント中空板１００ａは、複数連結することにより耐震性を向上させているが、その連結箇所は変動しやすく、タイル１１０が変動に対応できずに割れる場合がある。そのため、絶縁シートによりタイル１１０をセメント中空板１００ａに接着させず、セメント中空板１００ａの変動がタイル１１０に伝達されないようにする。
【実施例２】
【００４１】
タイルは、角を下に向けた多角形を並べて、又はその他の形状のものと組み合わせて壁面に敷き詰めれば良い。タイルの形状としては、正三角形、正方形、菱形、正六角形など整った形状であると、目地以外の隙間が生じにくい。図８は、タイル落下防止金具を用いた壁面を示す（ａ）平面図、（ｂ）正面図及び（ｃ）右側面図である。
【００４２】
図８に示すように、本実施例では、壁面１００が鉄筋コンクリート１００ｂの場合に、その表面に正三角形状のタイル１１０ａを取り付けるケースで説明する。一の下向き正三角形の上下左右にそれぞれ別の上向き正三角形を配置し、同様に、一の上向き正三角形の上下左右にそれぞれ別の下向き正三角形を配置すれば良い。
【００４３】
鉄筋コンクリート１００ｂは、コンクリートの中に鉄筋を通すことにより、圧縮にも引張りにも強くして耐震性を向上させたものである。組み上げた鉄筋の周りにコンクリートを打設することにより１枚の壁を形成する。なお、鉄筋コンクリート１００ｂの場合、介在物１２０として亀甲網を使用しても良いが、複数のパネルを連結する訳ではないので、絶縁シートは不要である。
【００４４】
タイル１１０ａを鉄筋コンクリート１００ｂへ取り付けるためのタイル落下防止金具として、支持金具２００と角受け金具３００ｄを使用する。鉄筋コンクリート１００ｂに支持金具２００を配設し、支持金具２００に掛けた角受け金具３００ｄでタイル１１０ａを支持する。なお、角受け金具３００ｄは、角受け金具３００と底受け金具３００ａの機能を合わせ持つ。
【００４５】
図９は、タイル落下防止金具の角受け金具を示す（ａ）平面図、（ｂ）正面図及び（ｃ）右側面図である。図９に示すように、角受け金具３００ｄは、タイル１１０ａを受けるための角当て３８０、支持金具２００に掛けるためのフック３８８、下端を鉄筋コンクリート１００ｂに当てるための折曲片３８９等を有する。
【００４６】
角当て３８０は、一のタイル１１０ａを受けるために左下辺受け３８１と右下辺受け３８２、タイル１１０ａの下側の別のタイル１１１ａを受けるために左上辺受け３８３と右上辺受け３８４、タイル１１０ａの左側に隣接する他のタイルを受けるために左底辺受け３８５、及びタイル１１０ａの右側に隣接する他のタイルを受けるために右底辺受け３８６等を有する。
【００４７】
なお、左下辺受け３８１は、一のタイル１１０ａの左側に隣接する他のタイルの右上辺も受け、右下辺受け３８２は、一のタイル１１０ａの右側に隣接する他のタイルの左上辺も受ける。また、左上辺受け３８３は、別のタイル１１１ａの左側に隣接する他のタイルの右下辺も受け、右上辺受け３８４は、別のタイル１１１ａの右側に隣接する他のタイルの左下辺も受ける。さらに、左底辺受け３８５は、別のタイル１１１ａの左側に隣接する他のタイルの上辺も受け、右底辺受け３８６は、別のタイル１１１ａの右側に隣接する他のタイルの上辺も受ける。
【００４８】
角当て３８０は、角受け金具３００ｄに矩形状の切抜孔３８７を空けることで設けるが、四辺のうち一辺は切り取らず、その一辺を折り曲げて起こすことによりタイル１１０ａ側（前側）に突出させる。
【００４９】
フック３８８は、角当て３８０の上側に後方へ支持金具２００を跨ぐように設けられる。また、折曲片３８９は、前後方向の位置を安定させるために、角受け金具３００ｄの下側を折り曲げて、鉄筋コンクリート１００ｂ側（後側）に突出させる。
【００５０】
このように、上端又は下端が尖った形状のタイルでも壁面から落下しないように保持することができる。タイルの尖った先端ではなく、先端に近い側辺を支えるので、先端が当たって欠けるのを避けることができる。
【００５１】
以上、本発明の実施例を述べたが、これらに限定されるものではない。例えば、タイルが正三角形のように整った形状でなくても、タイルの下端の形状に合わせて角受け金具を成形すれば良い。
【符号の説明】
【００５２】
１００：壁面
１００ａ：セメント中空板
１００ｂ：鉄筋コンクリート
１１０：タイル
１１０ａ：タイル
１１１：タイル
１１１ａ：タイル
１１２：目地
１２０：介在物
２００：支持金具
２０１：支持金具
２１０：上板
２２０：下板
２３０：中間部
２４０：貫通孔
２５０：留具
２６０：隙間
３００：角受け金具
３００ａ：底受け金具
３００ｂ：角受け金具
３００ｃ：角受け金具
３００ｄ：角受け金具
３１０：下角当て
３１１：左下辺受け
３１２：右下辺受け
３２０：上角当て
３２１：左上辺受け
３２２：右上辺受け
３３０：連結部
３４０：フック
３４１：切欠き
３５０：折曲片
３６０：下部当て
３６１：底辺受け
３７０：フック
３８０：角当て
３８１：左下辺受け
３８２：右下辺受け
３８３：左上辺受け
３８４：右上辺受け
３８５：左底辺受け
３８６：右底辺受け
３８７：切抜孔
３８８：フック
３８９：折曲片
【要約】
【課題】上端又は下端が尖った形状のタイルが壁面から落下しないように保持するためのタイル落下防止金具を提供する。
【解決手段】タイル落下防止金具は、壁面に固定するための水平方向に延びた下板と、前記下板の上側に当該壁面とは反対側へクランク状に折り曲がるように連設され当該壁面との間に水平方向に延びる隙間が確保された上板と、を備える支持金具と、前記支持金具を介して下端が尖ったタイルを当該壁面から浮かして支持するために、当該タイルの左下辺及び右下辺に当接するように当該タイル側に突出させた下辺受けを設けた下角当てと、前記支持金具に掛けるために前記下部当ての上側に設けられたフックと、を備える角受け金具とを有し、前記下角当てが当該タイルの下端を空けるように前記下辺受けが設けられる。
【選択図】図１【図１】
0006024847.tif 000002
【図２】
0006024847.tif 000003
【図３】
0006024847.tif 000004
【図４】
0006024847.tif 000005
【図５】
0006024847.tif 000006
【図６】
0006024847.tif 000007
【図７】
0006024847.tif 000008
【図８】
0006024847.tif 000009
【図９】
0006024847.tif 000010